(57)【要約】  本発明は、情報決定および構成方法、装置、コンピュータ記憶媒体を開示し、前記方法は、端末機器がネットワーク機器によって送信された第１の構成情報を受信することを含み、前記第１の構成情報は、１セットのＣＳＩ−ＲＳリソースを構成するために使用され、ここで、前記１セットのＣＳＩ−ＲＳリソースの各ＣＳＩ−ＲＳリソースは、第１のＱＣＬパラメータに関して準共存する。
2021520702.tif 000002
【特許請求の範囲】
【請求項１】
情報決定方法であって、
端末機器がネットワーク機器によって送信された第１の構成情報を受信することを含み、前記第１の構成情報は、１セットのＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）リソースを構成するために使用され、前記１セットのＣＳＩ−ＲＳリソースの各ＣＳＩ−ＲＳリソースは、第１のＱＣＬ（Ｑｕａｓｉ  Ｃｏ−Ｌｏｃａｔｉｏｎ）パラメータに関して準共存する、前記情報決定方法。
【請求項２】
前記方法は、
前記端末機器が前記第１の構成情報に基づいて第１の信号を決定し、前記第１の信号を使用して、タイミングの追跡／同期および／または周波数の追跡／同期を実行することをさらに含む、
請求項１に記載の情報決定方法。
【請求項３】
前記第１のＱＣＬパラメータは空間ＱＣＬパラメータである、
請求項１または２に記載の情報決定方法。
【請求項４】
前記第１の構成情報は、さらに、前記１セットのＣＳＩ−ＲＳリソースに対応する第１の指示パラメータを構成するために使用され、前記第１の指示パラメータは、前記１セットのＣＳＩ−ＲＳリソースの用途を指示する、
請求項１ないし３のいずれか一項に記載の情報決定方法。
【請求項５】
前記第１の指示パラメータはパラメータＴＲＳ−Ｉｎｆｏ（Ｔｒａｃｋｉｎｇ  Ｒｅｆｅｒｅｎｃｅ  Ｓｉｇｎａｌ−Ｉｎｆｏ）である、
請求項４に記載の情報決定方法。
【請求項６】
前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は同じＴＣＩ−Ｓｔａｔｅ（Ｔｒａｎｓｍｉｓｓｉｏｎ  Ｃｏｎｆｉｇｕｒａｔｉｏｎ  Ｉｎｄｉｃａｔｏｒ  Ｓｔａｔｅ）に対応する、
請求項１ないし５のいずれか一項に記載の情報決定方法。
【請求項７】
情報構成方法であって、
ネットワーク機器が端末機器に第１の構成情報を送信することを含み、前記第１の構成情報は、１セットのＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）リソースを構成するために使用され、前記１セットのＣＳＩ−ＲＳリソースの各ＣＳＩ−ＲＳリソースは、第１のＱＣＬ（Ｑｕａｓｉ  Ｃｏ−Ｌｏｃａｔｉｏｎ）パラメータに関して準共存する、前記情報構成方法。
【請求項８】
前記第１のＱＣＬパラメータは空間ＱＣＬパラメータである、
請求項７に記載の情報構成方法。
【請求項９】
前記第１の構成情報は、さらに、前記１セットのＣＳＩ−ＲＳリソースに対応する第１の指示パラメータを構成するために使用され、前記第１の指示パラメータは、前記１セットのＣＳＩ−ＲＳリソースの用途を指示する、
請求項７または８に記載の情報構成方法。
【請求項１０】
前記第１の指示パラメータはパラメータＴＲＳ−Ｉｎｆｏ（Ｔｒａｃｋｉｎｇ  Ｒｅｆｅｒｅｎｃｅ  Ｓｉｇｎａｌ−Ｉｎｆｏ）である、
請求項９に記載の情報構成方法。
【請求項１１】
前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は同じＴＣＩ−Ｓｔａｔｅに対応する、
請求項７ないし１０のいずれか一項に記載の情報構成方法。
【請求項１２】
情報決定装置であって、
ネットワーク機器によって送信された第１の構成情報を受信するように構成される受信ユニットを含み、前記第１の構成情報は、１セットのＣＳＩ−ＲＳリソースを構成するために使用され、前記１セットのＣＳＩ−ＲＳリソースの各ＣＳＩ−ＲＳリソースは、第１のＱＣＬパラメータに関して準共存する、前記情報決定装置。
【請求項１３】
前記情報決定装置は、
前記第１の構成情報に基づいて第１の信号を決定し、前記第１の信号を使用して、タイミングの追跡／同期および／または周波数の追跡／同期を実行するように構成される追跡／同期ユニットをさらに含む、
請求項１２に記載の情報決定装置。
【請求項１４】
前記第１のＱＣＬパラメータは空間ＱＣＬパラメータである、
請求項１２または１３に記載の情報決定装置。
【請求項１５】
前記第１の構成情報は、さらに、前記１セットのＣＳＩ−ＲＳリソースに対応する第１の指示パラメータを構成するために使用され、前記第１の指示情報は、前記１セットのＣＳＩ−ＲＳリソースの用途を指示する、
請求項１２ないし１４のいずれか一項に記載の情報決定装置。
【請求項１６】
前記第１の指示パラメータはパラメータＴＲＳ−Ｉｎｆｏである、
請求項１５に記載の情報決定装置。
【請求項１７】
前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ伝送構成情報−状態（ＴＣＩ−Ｓｔａｔｅ）に対応する、
請求項１２ないし１６のいずれか一項に記載の情報決定装置。
【請求項１８】
情報構成装置であって、
端末機器に第１の構成情報を送信するように構成される送信ユニットを含み、前記第１の構成情報は、１セットのＣＳＩ−ＲＳリソースを構成するために使用され、前記１セットのＣＳＩ−ＲＳリソースの各ＣＳＩ−ＲＳリソースは、第１のＱＣＬパラメータに関して準共存する、前記情報構成装置。
【請求項１９】
前記第１のＱＣＬパラメータは空間ＱＣＬパラメータである、
請求項１８に記載の情報構成装置。
【請求項２０】
前記第１の構成情報は、さらに、前記１セットのＣＳＩ−ＲＳリソースに対応する第１の指示パラメータを構成するために使用され、前記第１の指示情報は、前記１セットのＣＳＩ−ＲＳリソースの用途を指示する、
請求項１８または１９に記載の情報構成装置。
【請求項２１】
前記第１の指示パラメータはパラメータＴＲＳ−Ｉｎｆｏである、
請求項２０に記載の情報構成装置。
【請求項２２】
前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は同じＴＣＩ−Ｓｔａｔｅに対応する、
請求項１８ないし２１のいずれか一項に記載の情報構成装置。
【請求項２３】
コンピュータ記憶媒体であって、
コンピュータ実行可能な命令が記憶され、前記コンピュータ実行可能な命令がプロセッサによって実行される時に、請求項１ないし６のいずれか一項に記載の情報決定方法のステップ、または請求項７ないし１１のいずれか一項に記載の情報構成方法のステップを実現する、前記コンピュータ記憶媒体。
【発明の詳細な説明】
【技術分野】
【０００１】
本発明は、無線通信技術分野に関し、特に、情報決定および構成方法、装置、コンピュータ記憶媒体に関する。
【背景技術】
【０００２】
ロングタームエボリューション（ＬＴＥ：Ｌｏｎｇ  Ｔｅｒｍ  Ｅｖｏｌｕｔｉｏｎ）システムでは、セル固有参照信号（ＣＲＳ：Ｃｅｌｌ−ｓｐｅｃｉｆｉｃ  Ｒｅｆｅｒｅｎｃｅ  Ｓｉｇｎａｌ）がシステム帯域幅内にあるため、その帯域幅はより広く、その時間領域の密度はより大きく、端末はＣＲＳ（および／または同期信号）を使用して、より優れた時間領域同期性能（ｔｉｍｉｎｇ／ｆｒｅｑｕｅｎｃｙ  ｔｒａｃｋｉｎｇ、またはｔｉｍｉｎｇ／ｆｒｅｑｕｅｎｃｙ  ｓｙｎｃｈｒｏｎｉｚａｔｉｏｎ）を取得することができる。
【０００３】
ニューラジオ（ＮＲ：Ｎｅｗ  Ｒａｄｉｏ）システムでは、同期信号ブロック（ＳＳＢ：Ｓｙｎｃｈｒｏｎｉｚａｔｉｏｎ  Ｓｉｇｎａｌ  Ｂｌｏｃｋ）（プライマリ同期信号（ＰＳＳ：Ｐｒｉｍａｒｙ  Ｓｙｎｃｈｒｏｎｉｚａｔｉｏｎ  Ｓｉｇｎａｌ）、セカンダリ同期信号（ＳＳＳ：Ｓｅｃｏｎｄａｒｙ  Ｓｙｎｃｈｒｏｎｉｚａｔｉｏｎ  Ｓｉｇｎａｌ）、物理ブロードキャストチャネル（ＰＢＣＨ：Ｐｈｙｓｉｃａｌ  Ｂｒｏａｄｃａｓｔ  Ｃｈａｎｎｅｌ）を含む）が帯域幅の一部のみを占有し、時間領域の密度もＬＴＥのＣＲＳ密度より小さいため、粗い同期の場合に用いられることができるが、より高い精度の時間周波数の同期が必要な場合、要件を満たすことができない。しかし、ＮＲシステムにもＣＲＳ信号がないため、新しい信号の同期参照信号（ＴＲＳ：ｔｒａｃｋｉｎｇ  Ｒｅｆｅｒｅｎｃｅ  Ｓｉｇｎａｌ）が提案される。最終的な設計で、ＴＲＳ信号は以下の方式を介して実現され、プロトコルにおけるＴＲＳの正式名は、ＣＳＩ−ＲＳ  ｆｏｒ  ｔｒａｃｋｉｎｇである。
【０００４】
１）１セットの周期的なＣＳＩ−ＲＳリソース（ＣＳＩ−ＲＳ  ｒｅｓｏｕｒｃｅ）を構成し、且つパラメータＴＲＳ−Ｉｎｆｏを構成する。
【０００５】
２）なお、他のいくつかの構成要件がある。
【０００６】
周期的なＣＳＩ−ＲＳ  ｒｅｓｏｕｒｃｅに対して、現在では、対応する準コロケーション（ＱＣＬ：Ｑｕａｓｉ  Ｃｏ−Ｌｏｃａｔｅｄ）情報を構成し、具体的には、１つのＴＣＩ−Ｓｔａｔｅを指す。ＣＳＩ−ＲＳ  ｒｅｓｏｕｒｃｅ  ｓｅｔでは、現在、異なるＣＳＩ−ＲＳ  ｒｅｓｏｕｒｃｅのＱＣＬ情報を任意に構成することができる。これにより、異なるＣＳＩ−ＲＳ  ｒｅｓｏｕｒｃｅは異なる受信ｂｅａｍを使用して受信する必要があり、それにより、異なるＣＳＩ−ＲＳ  ｒｅｓｏｕｒｃｅの転送に対応するチャネルの統計特性が異なり、タイミングの同期／追跡および周波数の同期／追跡の精度に影響を与えるなど、性能が低下される。
【発明の概要】
【発明が解決しようとする課題】
【０００７】
上記の技術的課題を解決するために、本発明の実施例は、情報決定および構成方法、装置、コンピュータ記憶媒体を提供する。
【課題を解決するための手段】
【０００８】
本発明の実施例によって提供された情報決定方法は、
端末機器がネットワーク機器によって送信された第１の構成情報を受信することを含み、前記第１の構成情報は、１セットのＣＳＩ−ＲＳリソースを構成するために使用され、ここで、前記１セットのＣＳＩ−ＲＳリソースの各ＣＳＩ−ＲＳリソースは、第１のＱＣＬパラメータに関して準共存する。
【０００９】
一実施形態において、前記端末機器が前記第１の構成情報に基づいて第１の信号を決定し、前記第１の信号を使用して、タイミングの追跡／同期および／または周波数の追跡／同期を実行する。
【００１０】
一実施形態において、前記第１のＱＣＬパラメータは空間ＱＣＬパラメータである。
【００１１】
一実施形態において、前記第１の構成情報は、さらに、前記１セットのＣＳＩ−ＲＳリソースに対応する第１の指示パラメータを構成するために使用され、前記第１の指示情報は、前記１セットのＣＳＩ−ＲＳリソースの用途を指示する。
【００１２】
一実施形態において、前記第１の指示パラメータはパラメータＴＲＳ−Ｉｎｆｏである。
【００１３】
一実施形態において、前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ伝送構成情報−状態（ＴＣＩ−Ｓｔａｔｅ：Ｔｒａｎｓｍｉｓｓｉｏｎ  Ｃｏｎｆｉｇｕｒａｔｉｏｎ  Ｉｎｆｏｒｍａｔｉｏｎ−  Ｓｔａｔｅ）に対応する。
【００１４】
本発明の実施例によって提供された情報構成方法は、
ネットワーク機器が端末機器に第１の構成情報を送信することを含み、前記第１の構成情報は、１セットのＣＳＩ−ＲＳリソースを構成するために使用され、ここで、前記１セットのＣＳＩ−ＲＳリソースの各ＣＳＩ−ＲＳリソースは、第１のＱＣＬパラメータに関して準共存する。
【００１５】
一実施形態において、前記第１のＱＣＬパラメータは空間ＱＣＬパラメータである。
【００１６】
一実施形態において、前記第１の構成情報は、さらに、前記１セットのＣＳＩ−ＲＳリソースに対応する第１の指示パラメータを構成するために使用され、前記第１の指示情報は、前記１セットのＣＳＩ−ＲＳリソースの用途を指示する。
【００１７】
一実施形態において、前記第１の指示パラメータはパラメータＴＲＳ−Ｉｎｆｏである。
【００１８】
一実施形態において、前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は同じＴＣＩ−Ｓｔａｔｅに対応する。
【００１９】
本発明の実施例によって提供された情報決定装置は、
ネットワーク機器によって送信された第１の構成情報を受信するように構成される受信ユニットを含み、前記第１の構成情報は、１セットのＣＳＩ−ＲＳリソースを構成するために使用され、ここで、前記１セットのＣＳＩ−ＲＳリソースの各ＣＳＩ−ＲＳリソースは、第１のＱＣＬパラメータに関して準共存する。
【００２０】
一実施形態において、前記装置は、
前記第１の構成情報に基づいて第１の信号を決定し、前記第１の信号を使用して、タイミングの追跡／同期および／または周波数の追跡／同期を実行するように構成される追跡／同期ユニットをさらに含む。
【００２１】
一実施形態において、前記第１のＱＣＬパラメータは空間ＱＣＬパラメータである。
【００２２】
一実施形態において、前記第１の構成情報は、さらに、前記１セットのＣＳＩ−ＲＳリソースに対応する第１の指示パラメータを構成するために使用され、前記第１の指示情報は、前記１セットのＣＳＩ−ＲＳリソースの用途を指示する。
【００２３】
一実施形態において、前記第１の指示パラメータはパラメータＴＲＳ−Ｉｎｆｏである。
【００２４】
一実施形態において、前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ伝送構成情報−状態（ＴＣＩ−Ｓｔａｔｅ）に対応する。
【００２５】
本発明の実施例によって提供された情報構成装置は、
端末機器に第１の構成情報を送信するように構成される送信ユニットを含み、前記第１の構成情報は、１セットのＣＳＩ−ＲＳリソースを構成するために使用され、ここで、前記１セットのＣＳＩ−ＲＳリソースの各ＣＳＩ−ＲＳリソースは、第１のＱＣＬパラメータに関して準共存する。
【００２６】
一実施形態において、前記第１のＱＣＬパラメータは空間ＱＣＬパラメータである。
【００２７】
一実施形態において、前記第１の構成情報は、さらに、前記１セットのＣＳＩ−ＲＳリソースに対応する第１の指示パラメータを構成するために使用され、前記第１の指示情報は、前記１セットのＣＳＩ−ＲＳリソースの用途を指示する。
【００２８】
一実施形態において、前記第１の指示パラメータはパラメータＴＲＳ−Ｉｎｆｏである。
【００２９】
一実施形態において、前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は同じＴＣＩ−Ｓｔａｔｅに対応する。
【００３０】
本発明の実施例はよって提供されたコンピュータ記憶媒体は、コンピュータ実行可能な命令が記憶され、前記コンピュータの実行可能な命令がプロセッサによって実行される時に、前記情報決定または構成方法を実現する。
【００３１】
本発明の実施例の技術的解決策では、端末機器がネットワーク機器によって送信された第１の構成情報を受信し、前記第１の構成情報は、１セットのＣＳＩ−ＲＳリソースを構成するために使用され、ここで、前記１セットのＣＳＩ−ＲＳリソースの各ＣＳＩ−ＲＳリソースは、第１のＱＣＬパラメータに関して準共存し、前記端末機器が前記第１の構成情報に基づいて第１の信号を決定し、前記第１の信号を使用して、タイミングの追跡／同期および／または周波数の追跡／同期を実行する。本発明の実施例の技術的解決策を採用して、タイミング／周波数の追跡（ｔｒａｃｋｉｎｇ）（同期とも称し得る）性能の改善を実現し、全体的なシステム性能を改善する。
【図面の簡単な説明】
【００３２】
ここで説明される図面は、本発明をさらに理解するために提供され、本出願の一部を構成し、本発明の例示的な実施例およびそれらの説明は、本発明を説明するために使用され、本発明に対する不適切な限定を構成しない。図面において、
【図１】本発明の実施例の情報決定方法のフローチャートである。
【図２】本発明の実施例の情報構成方法のフローチャートである。
【図３】本発明の実施例の情報決定装置の構成の例示的な構造図である。
【図４】本発明の実施例の情報構成装置の構成の例示的な構造図である。
【図５】本発明の実施例のコンピュータ機器の構成の例示的な構造図である。
【発明を実施するための形態】
【００３３】
本発明の実施例の技術案を容易に理解するため、以下、本発明の実施例に関する関連技術を説明する。
【００３４】
１）ＴＣＩ−ｓｔａｔｅ
１つのＴＣＩ  ｓｔａｔｅに対して、１つまたは２つのＲＳ情報を構成することができ、２つのＲＳが１セットのＱＣＬ情報を形成し、ＲＳ１がＱＣＬ−ＴｙｐｅＡに対応し、ＲＳ２がＱＣＬ−ＴｙｐｅＤに対応するなど、各ＲＳ情報に対応するＱＣＬパラメータンのタイプは異なる。２つのＲＳ情報は同じＲＳを指示してもよく、異なるＲＳを指示してもよい。
【００３５】
２）ＱＣＬ  Ｔｙｐｅ
現在のプロトコルでサポートされているＱＣＬに対応するパラメータを以下（１つ、またはいくつかの組み合わせであり得る）のように仮設する。
【００３６】
−‘ＱＣＬ−ＴｙｐｅＡ’：｛Ｄｏｐｐｌｅｒ  ｓｈｉｆｔ，Ｄｏｐｐｌｅｒ  ｓｐｒｅａｄ，ａｖｅｒａｇｅ  ｄｅｌａｙ，ｄｅｌａｙ  ｓｐｒｅａｄ｝、
−‘ＱＣＬ−ＴｙｐｅＢ’：｛Ｄｏｐｐｌｅｒ  ｓｈｉｆｔ，Ｄｏｐｐｌｅｒ  ｓｐｒｅａｄ｝、
−‘ＱＣＬ−ＴｙｐｅＣ’：｛ａｖｅｒａｇｅ  ｄｅｌａｙ，Ｄｏｐｐｌｅｒ  ｓｈｉｆｔ｝、
−‘ＱＣＬ−ＴｙｐｅＤ’：｛Ｓｐａｔｉａｌ  Ｒｘ  ｐａｒａｍｅｔｅｒ｝。
【００３７】
ここで、ＱＣＬ−ＴｙｐｅＤ’：｛Ｓｐａｔｉａｌ  Ｒｘ  ｐａｒａｍｅｔｅｒ｝は空間ＱＣＬパラメータである。
【００３８】
図１は、本発明の実施例の情報決定方法のフローチャートであり、図１に示されたように、前記情報決定方法は、次のステップを含む。
【００３９】
ステップ１０１において、端末機器がネットワーク機器によって送信された第１の構成情報を受信し、前記第１の構成情報は、１セットのＣＳＩ−ＲＳリソースを構成するために使用され、ここで、前記１セットのＣＳＩ−ＲＳリソースの各ＣＳＩ−ＲＳリソースは、第１のＱＣＬパラメータに関して準共存する。
【００４０】
本発明の実施例では、ネットワークが１セットのＣＳＩ−ＲＳリソースを構成し、当該ＣＳＩ−ＲＳリソースは周期的であってもよく、非周期的であってもよい。
【００４１】
一実施形態において、前記第１の構成情報は、さらに、前記１セットのＣＳＩ−ＲＳリソースに対応する第１の指示パラメータを構成するために使用され、前記第１の指示情報は、前記１セットのＣＳＩ−ＲＳリソースの用途を指示する。具体的に実現される時、前記第１の指示パラメータはパラメータＴＲＳ−Ｉｎｆｏである。
【００４２】
本発明の実施例では、前記第１のＱＣＬパラメータは空間ＱＣＬパラメータ、即ち‘ＱＣＬ−ＴｙｐｅＤ’：｛Ｓｐａｔｉａｌ  Ｒｘ  ｐａｒａｍｅｔｅｒ｝である。
【００４３】
本発明の実施例では、前記１セットのＣＳＩ−ＲＳリソースの各ＣＳＩ−ＲＳリソースは、第１のＱＣＬパラメータに関して準共存し、具体的に、各ＣＳＩ−ＲＳリソースは空間ＱＣＬパラメータに関して準共存し、具体的に、以下の１つまたは複数の方式を介して空間ＱＣＬパラメータに関して準共存することができる。
【００４４】
方式１：前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号である。
【００４５】
例えば、ＣＳＩ−ＲＳリソース１とＣＳＩ−ＲＳリソース２は信号Ｘと信号Ｙにそれぞれ対応し、ここで、信号ＸとＲＳ１の間は、空間ＱＣＬパラメータに関して準共存し、信号ＹとＲＳ２の間は、空間ＱＣＬパラメータに関して準共存し、それでは、ＲＳ１とＲＳ２の間が空間ＱＣＬパラメータに関して準共存すると、信号Ｘと信号Ｙの間は、空間ＱＣＬパラメータに関して準共存する。
【００４６】
方式２：前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号である。
【００４７】
例えば、ＣＳＩ−ＲＳリソース１とＣＳＩ−ＲＳリソース２は信号Ｘと信号Ｙにそれぞれ対応し、ここで、信号ＸとＲＳ１の間は、空間ＱＣＬパラメータに関して準共存し、信号ＹとＲＳ１の間は、空間ＱＣＬパラメータに関して準共存すると、それでは、信号Ｘと信号Ｙの間は、空間ＱＣＬパラメータに関して準共存する。
【００４８】
方式３：前記１セットのＣＳＩ−ＲＳリソースの各ＣＳＩ−ＲＳリソースに対応するＱＣＬ情報は同じＴＣＩ−Ｓｔａｔｅに対応する。
【００４９】
ここで、同じＴＣＩ−Ｓｔａｔｅを介して各ＣＳＩ−ＲＳリソースに対応するＱＣＬ情報を構成するため、各ＣＳＩ−ＲＳリソースは、空間ＱＣＬパラメータに関して準共存する。
【００５０】
本発明の実施例では、前記端末機器は前記第１の構成情報に基づいて第１の信号を決定し、前記第１の信号を使用して、タイミングの追跡／同期および／または周波数の追跡／同期を実行する。
【００５１】
図２は、本発明の実施例の情報構成方法のフローチャートであり、図２に示されたように、前記情報構成方法は、次のステップを含む。
【００５２】
ステップ２０１において、ネットワーク機器が端末機器に第１の構成情報を送信し、前記第１の構成情報は、１セットのＣＳＩ−ＲＳリソースを構成するために使用され、ここで、前記１セットのＣＳＩ−ＲＳリソースの各ＣＳＩ−ＲＳリソースは、第１のＱＣＬパラメータに関して準共存する。
【００５３】
本発明の実施例では、ネットワークが１セットのＣＳＩ−ＲＳリソースを構成し、当該ＣＳＩ−ＲＳリソースは周期的であってもよく、非周期的であってもよい。
【００５４】
一実施形態において、前記第１の構成情報は、さらに、前記１セットのＣＳＩ−ＲＳリソースに対応する第１の指示パラメータを構成するために使用され、前記第１の指示情報は、前記１セットのＣＳＩ−ＲＳリソースの用途を指示する。具体的に実現される時、前記第１の指示パラメータはパラメータＴＲＳ−Ｉｎｆｏである。
【００５５】
本発明の実施例では、前記第１のＱＣＬパラメータは空間ＱＣＬパラメータ、即ち‘ＱＣＬ−ＴｙｐｅＤ’：｛Ｓｐａｔｉａｌ  Ｒｘ  ｐａｒａｍｅｔｅｒ｝である。
【００５６】
本発明の実施例では、前記１セットのＣＳＩ−ＲＳリソースの各ＣＳＩ−ＲＳリソースは、第１のＱＣＬパラメータに関して準共存し、具体的に、各ＣＳＩ−ＲＳリソースは空間ＱＣＬパラメータに関して準共存し、具体的に、以下の１つまたは複数の方式を介して空間ＱＣＬパラメータに関して準共存することができる。
【００５７】
方式１：前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号である。
【００５８】
例えば、ＣＳＩ−ＲＳリソース１とＣＳＩ−ＲＳリソース２は信号Ｘと信号Ｙにそれぞれ対応し、ここで、信号ＸとＲＳ１の間は、空間ＱＣＬパラメータに関して準共存し、信号ＹとＲＳ２の間は、空間ＱＣＬパラメータに関して準共存し、それでは、ＲＳ１とＲＳ２の間が空間ＱＣＬパラメータに関して準共存すると、信号Ｘと信号Ｙの間は、空間ＱＣＬパラメータに関して準共存する。
【００５９】
方式２：前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号である。
【００６０】
例えば、ＣＳＩ−ＲＳリソース１とＣＳＩ−ＲＳリソース２は信号Ｘと信号Ｙにそれぞれ対応し、ここで、信号ＸとＲＳ１の間は、空間ＱＣＬパラメータに関して準共存し、信号ＹとＲＳ１の間は、空間ＱＣＬパラメータに関して準共存し、では、信号Ｘと信号Ｙの間は、空間ＱＣＬパラメータに関して準共存する。
【００６１】
方式３：前記１セットのＣＳＩ−ＲＳリソースの各ＣＳＩ−ＲＳリソースに対応するＱＣＬ情報は同じＴＣＩ−Ｓｔａｔｅに対応する。
【００６２】
ここで、同じＴＣＩ−Ｓｔａｔｅを介して各ＣＳＩ−ＲＳリソースに対応するＱＣＬ情報を構成するため、各ＣＳＩ−ＲＳリソースは、空間ＱＣＬパラメータに関して準共存する。
【００６３】
ここで、前記端末機器は、前記第１の構成情報に基づいて第１の信号を決定し、前記第１の信号を使用して、タイミングの追跡／同期および／または周波数の追跡／同期を実行することができる。
【００６４】
図３は、本発明の実施例の情報決定装置の構成の例示的な構造図であり、図３に示されたように、前記装置は、
ネットワーク機器によって送信された第１の構成情報を受信するように構成される受信ユニット３０１を含み、前記第１の構成情報は、１セットのＣＳＩ−ＲＳリソースを構成するために使用され、ここで、前記１セットのＣＳＩ−ＲＳリソースの各ＣＳＩ−ＲＳリソースは、第１のＱＣＬパラメータに関して準共存する。
【００６５】
一実施形態において、前記装置は、前記第１の構成情報に基づいて第１の信号を決定し、前記第１の信号を使用して、タイミングの追跡／同期および／または周波数の追跡／同期を実行するように構成される追跡／同期ユニット３０２をさらに含む。
【００６６】
一実施形態において、前記第１のＱＣＬパラメータは空間ＱＣＬパラメータである。
【００６７】
一実施形態において、前記第１の構成情報は、さらに、前記１セットのＣＳＩ−ＲＳリソースに対応する第１の指示パラメータを構成するために使用され、前記第１の指示情報は、前記１セットのＣＳＩ−ＲＳリソースの用途を指示する。
【００６８】
一実施形態において、前記第１の指示パラメータはパラメータＴＲＳ−Ｉｎｆｏである。
【００６９】
一実施形態において、前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ伝送構成情報−状態（ＴＣＩ−Ｓｔａｔｅ）に対応する。
【００７０】
当業者は、図３に示された情報決定装置の各ユニットの実現機能が前記情報決定方法に関する説明を参照して理解されることができることを理解されたい。図３に示された情報決定装置の各ユニットの機能は、プロセッサによって実行されるプログラムを介して実現されてもよく、具体的な論理回路によって実現されてもよい。
【００７１】
図４は、本発明の実施例の情報構成装置の構成の例示的な構造図であり、図４に示されたように、前記装置は、
端末機器に第１の構成情報を送信するように構成される送信ユニット４０１を含み、前記第１の構成情報は、１セットのＣＳＩ−ＲＳリソースを構成するために使用され、ここで、前記１セットのＣＳＩ−ＲＳリソースの各ＣＳＩ−ＲＳリソースは、第１のＱＣＬパラメータに関して準共存する。
【００７２】
一実施形態において、前記第１のＱＣＬパラメータは空間ＱＣＬパラメータである。
【００７３】
一実施形態において、前記第１の構成情報は、さらに、前記１セットのＣＳＩ−ＲＳリソースに対応する第１の指示パラメータを構成するために使用され、前記第１の指示情報は、前記１セットのＣＳＩ−ＲＳリソースの用途を指示する。
【００７４】
一実施形態において、前記第１の指示パラメータはパラメータＴＲＳ−Ｉｎｆｏである。
【００７５】
一実施形態において、前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は同じＴＣＩ−Ｓｔａｔｅに対応する。
【００７６】
当業者は、図４に示された情報構成装置の各ユニットの実現機能が前記情報構成方法に関する説明を参照して理解されることができることを理解されたい。図４に示された情報構成装置の各ユニットの機能は、プロセッサによって実行されるプログラムを介して実現されてもよく、具体的な論理回路によって実現されてもよい。
【００７７】
本発明の実施例の前記情報決定装置または情報構成装置がソフトウェア機能モジュールの形態で実装され、スタンドアロン製品として販売または使用される場合、コンピュータ読み取り可能な記憶媒体に格納されることができる。このような理解に基づいて、本発明の実施例の技術的解決策は、本質で先行技術に対して貢献のある部分は、ソフトウェア製品の形で具現されることができ、当該コンピュータソフトウェア製品は、１つの記憶媒体に記憶されて、一台のコンピュータ装置（パーソナルコンピュータ、サーバ、またはネットワーク装置等などであリ得る）が本発明の各実施例の前記方法の全部または一部を実行させるために、いくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどのプログラムコードを記憶することができる様々なメディアを含む。こうして、本発明の実施例は、いずれかのハードウェアおよびソフトウェアの特定の組み合わせに限定されない。
【００７８】
対応的に、本発明の実施例は、コンピュータ記憶媒体をさらに提供し、コンピュータ実行可能な命令が記憶され、前記コンピュータ実行可能な命令がプロセッサによって実行される時、本開示の実施例の前記情報決定方法または情報構成方法が実現される。
【００７９】
図５は、本発明の実施例のコンピュータ機器の構成の例示的な構造図であり、前記コンピュータ機器は端末機器であってもよく、ネットワーク機器であってもよい。図５に示されたように、コンピュータ機器１００は１つまたは複数（図には１つを示す）のプロセッサ１００２（プロセッサ１００２はマイクロプロセッサ（ＭＣＵ：Ｍｉｃｒｏ  Ｃｏｎｔｒｏｌｌｅｒ  Ｕｎｉｔ）またはプログラマブルロジックデバイス（ＦＰＧＡ：Ｆｉｅｌｄ  Ｐｒｏｇｒａｍｍａｂｌｅ  Ｇａｔｅ  Ａｒｒａｙ）などの処理装置を含み得るが、これに限定されない）、データを記憶するように構成されるメモリ１００４、および通信機能用の伝送装置１００６を含むことができる。当業者は、図５に示された構造が単なる例示であり、前記電子装置の構造を限定しないことを理解することができる。例えば、コンピュータ機器１００は、図５に示されるものより多くまたは少ないコンポーネントを含み得るか、図５に示されるものとは異なる構成を有し得る。
【００８０】
メモリ１００４は、本発明の実施例における方法に対応するプログラム命令／モジュールなどのアプリケーションソフトウェアのソフトウェアプログラムおよびモジュールを記憶するように構成されることができ、プロセッサ１００２は、メモリ１００４に記憶されたソフトウェアプログラムおよびモジュールを実行することによって、様々な機能アプリケーションおよびデータ処理を実行し、即ち、前記方法を実現する。メモリ１００４は、高速ランダムメモリを含むことができ、１つまたは複数の磁気記憶装置、フラッシュメモリ、または他の不揮発性ソリッドステートメモリなどの不揮発性メモリをさらに含むことができる。いくつかの例において、メモリ１００４は、プロセッサ１００２に対してリモートで設定されたメモリをさらに含むことができ、これらのリモートメモリはネットワークを介してコンピュータ機器１００に接続することができる。前記ネットワークの例は、インターネット、企業イントラネット、ローカルエリアネットワーク、移動通信ネットワークおよびそれらの組み合わせを含むが、これらに限定されない。
【００８１】
伝送装置１００６は、１つのネットワークを介してデータを受信または送信するように構成される。前記ネットワークの具体的な例は、コンピュータ機器１００の通信プロバイダによって提供される無線ネットワークを含むことができる。一具現例において、伝送装置１００６は、基地局を介して他のネットワーク機器に接続することができ、それにより、インターネットと通信することができる１つのネットワークアダプタ（ＮＩＣ：Ｎｅｔｗｏｒｋ  Ｉｎｔｅｒｆａｃｅ  Ｃｏｎｔｒｏｌｌｅｒ）を含む。１つ例において、伝送装置１００６は無線方式を介してインターネットと通信するように構成される無線周波数（ＲＦ：Ｒａｄｉｏ  Ｆｒｅｑｕｅｎｃｙ）ユニットであり得る。
【００８２】
本発明の実施例で説明された技術案は、競合することなく、任意に組み合わせることができる。
【００８３】
本発明によって提供されたいくつかの実施例では、開示されたシステム、装置および方法は、他の方法で実現され得ることを理解されたい。上記で説明された機器実施例は例示的なものに過ぎず、例えば、前記ユニットの分離は、論理機能の分離に過ぎず、実際の実現時には別の分離方法があり、例えば、複数のユニットまたはコンポーネントを別のシステムに統合または集積したり、または一部の特徴を無視したり、または実行しないことができる。加えて、表示または議論される各構成部分の相互結合または直接結合または通信接続は、いくつかのインターフェース、装置またはユニットを介した間接的な結合または通信接続であり得、電気的、機械的または他の形態であり得る。
【００８４】
前記分離部材として説明されたユニットは、物理的に分離されている場合とされていない場合があり、ユニットとして表示された部材は、物理ユニットである場合もそうでない場合もあり、１箇所に構成される場合もあれば、複数のネットワークユニットに分散される場合もあり、実際のニーズに従って、その中の一部またはすべてのユニットを選択して、本実施例の解決策の目的を実現することができる。
【００８５】
なお、本発明の各実施例における各機能ユニットはすべてを１つの第２の処理ユニットに統合されてもよく、または各ユニットは１つのユニットとして使用されてもよく、２つまたは２つ以上のユニットを１つのユニットに統合してもよく、前記統合されたユニットは、ハードウェアの形で実現されてもよく、ハードウェアとソフトウェア機能ユニットの形で実現されてもよい。
【００８６】
上記で説明したように、本発明の具体的な実施形態に過ぎないが、本発明の保護範囲はこれに限定されず、当業者は、本発明に開示された技術的範囲内で容易に想到し得る変更または置換は、すべて本発明の保護範囲内に含まれるべきである。
【図１】
2021520702.tif 000003
【図２】
2021520702.tif 000004
【図３】
2021520702.tif 000005
【図４】
2021520702.tif 000006
【図５】
2021520702.tif 000007
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
情報決定方法であって、
端末機器がネットワーク機器によって送信された第１の構成情報を受信することを含み、前記第１の構成情報は、１セットのＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）リソースを構成するために使用され、前記１セットのＣＳＩ−ＲＳリソースの各ＣＳＩ−ＲＳリソースは、第１のＱＣＬ（Ｑｕａｓｉ  Ｃｏ−Ｌｏｃａｔｉｏｎ）パラメータに関して準共存する、前記情報決定方法。
【請求項２】
前記第１のＱＣＬパラメータは空間ＱＣＬパラメータである、
請求項１に記載の情報決定方法。
【請求項３】
前記第１の構成情報は、さらに、前記１セットのＣＳＩ−ＲＳリソースに対応する第１の指示パラメータを構成するために使用され、前記第１の指示情報は、前記１セットのＣＳＩ−ＲＳリソースの用途を指示する、
請求項１または２に記載の情報決定方法。
【請求項４】
前記第１の指示パラメータはパラメータＴＲＳ−Ｉｎｆｏ（Ｔｒａｃｋｉｎｇ  Ｒｅｆｅｒｅｎｃｅ  Ｓｉｇｎａｌ−Ｉｎｆｏ）である、
請求項３に記載の情報決定方法。
【請求項５】
前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は同じＴＣＩ−Ｓｔａｔｅ（Ｔｒａｎｓｍｉｓｓｉｏｎ  Ｃｏｎｆｉｇｕｒａｔｉｏｎ  Ｉｎｄｉｃａｔｏｒ  Ｓｔａｔｅ）に対応する、
請求項１ないし４のいずれか一項に記載の情報決定方法。
【請求項６】
情報決定装置であって、
ネットワーク機器によって送信された第１の構成情報を受信するように構成される受信ユニットを含み、前記第１の構成情報は、１セットのＣＳＩ−ＲＳリソースを構成するために使用され、前記１セットのＣＳＩ−ＲＳリソースの各ＣＳＩ−ＲＳリソースは、第１のＱＣＬパラメータに関して準共存する、前記情報決定装置。
【請求項７】
前記第１のＱＣＬパラメータは空間ＱＣＬパラメータである、
請求項６に記載の情報決定装置。
【請求項８】
前記第１の構成情報は、さらに、前記１セットのＣＳＩ−ＲＳリソースに対応する第１の指示パラメータを構成するために使用され、前記第１の指示情報は、前記１セットのＣＳＩ−ＲＳリソースの用途を指示する、
請求項６または７に記載の情報決定装置。
【請求項９】
前記第１の指示パラメータはパラメータＴＲＳ−Ｉｎｆｏである、
請求項８に記載の情報決定装置。
【請求項１０】
前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ伝送構成情報−状態（ＴＣＩ−Ｓｔａｔｅ）に対応する、
請求項６ないし９のいずれか一項に記載の情報決定装置。
【請求項１１】
情報構成装置であって、
端末機器に第１の構成情報を送信するように構成される送信ユニットを含み、前記第１の構成情報は、１セットのＣＳＩ−ＲＳリソースを構成するために使用され、前記１セットのＣＳＩ−ＲＳリソースの各ＣＳＩ−ＲＳリソースは、第１のＱＣＬパラメータに関して準共存する、前記情報構成装置。
【請求項１２】
前記第１のＱＣＬパラメータは空間ＱＣＬパラメータである、
請求項１１に記載の情報構成装置。
【請求項１３】
前記第１の構成情報は、さらに、前記１セットのＣＳＩ−ＲＳリソースに対応する第１の指示パラメータを構成するために使用され、前記第１の指示情報は、前記１セットのＣＳＩ−ＲＳリソースの用途を指示する、
請求項１１または１２に記載の情報構成装置。
【請求項１４】
前記第１の指示パラメータはパラメータＴＲＳ−Ｉｎｆｏである、
請求項１３に記載の情報構成装置。
【請求項１５】
前記１セットのＣＳＩ−ＲＳリソースの各ＣＳＩ−ＲＳリソースに対応するＱＣＬ情報によって指示された第１の参照信号間は、前記第１のＱＣＬパラメータに関して準共存し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は、同じ第１の参照信号を指示し、前記第１の参照信号は、前記第１のＱＣＬパラメータに対応する参照信号であり、および／または、
前記１セットのＣＳＩ−ＲＳリソースの各ＣＳＩ−ＲＳリソースに対応するＱＣＬ情報は同じＴＣＩ−Ｓｔａｔｅに対応する、
請求項１１ないし１４のいずれか一項に記載の情報構成装置。
【国際調査報告】
2021520702.tif 000008
2021520702.tif 000009
2021520702.tif 000010
2021520702.tif 000011